(57)【特許請求の範囲】
【請求項１】
ハウジング８と、該ハウジング８内に回転自在に装着されたチャック機構１と、該チャック機構１を前記ハウジング８内に回転自在に固定するためのベアリング３及び該ベアリング３を支える中蓋とを有する歯科用ハンドピースヘッドにおいて、前記中蓋は前記ハウジング８の内周部に螺合する螺合ネジＡ，Ａを有する２つの中蓋部材５，６から成り、これら２つの中蓋部材５，６は、その一方の中蓋部材６の内周に、前記螺合ネジＡとは逆方向に螺合する螺合ネジ部Ｂが形成されるとともに、その奥部に凹部６ａが形成され、その他方の中蓋部材５の外周に、前記一方の中蓋部材６の螺合ネジ部Ｂに螺合する螺合ネジ部Ｂが形成されるとともに、その奥部に前記一方の中蓋部材６の螺合ネジ部Ｂが落とし込まれる凹部５ａが形成されており、前記２つの中蓋部材５，６は、前記螺合する螺合ネジ部Ｂ，Ｂが相互に相手方を通り越して、螺合ネジ部Ｂ，Ｂが相互に相手方の凹部５ａ，６ａに落し込まれることにより縦続結合されていることを特徴とする歯科用ハンドピースのヘッド部構造。
【請求項２】
前記２つの中蓋部材５，６は、これら２つの中蓋部材５，６を反対方向に押圧するスプリングによってガタなく一体的に結合されていることを特徴とする請求項１に記載の歯科用ハンドピースのヘッド部構造。
【発明の詳細な説明】
【０００１】
【発明の属する技術分野】
本発明は、歯科用ハンドピースのヘッド部の構造、より詳細には、歯科用ハンドピースのヘッド部におけるハウジングと中蓋部材とのネジ連結部に適用して好適なネジ連結機構に関する。
【０００２】
【従来の技術】
歯科用ハンドピース、例えば、エアータービン或いはマイクロエンジンにおいては、ハンドピース先端のハウジング内に回転自在に装着されたチャック機構に切削バーを装着し、該チャック機構をエアー或いはモータにて回転させ、前記切削バーにて歯牙の切削等、種々の歯科治療を行っている。
【０００３】
上述のごときハンドピースにおいては、ハウジング内に前記チャック機構を回転自在に保持するためのベアリング及び該ベアリングを支えるための中蓋を有しており、該中蓋は、ネジ結合によって、前記ハウジングの内壁に螺合されるようになっている。
【０００４】
【発明が解決しようとする課題】
上述のように、従来、歯科用ハンドピースは、ヘッド部のハウジングと中蓋部材とはネジによって螺合されている例が多いが、使用中に、ネジが緩んで、中蓋部材が抜け落ちてしまう等の問題があった。
【０００５】
本発明は、上述のごとき問題を解決するためになされたもので、歯科用ハンドピースのヘッド部の中蓋部材が使用中に緩んだり、脱落したりすることがないようにすることを目的としてなされたものであるが、本発明は、歯科用ハンドピースのヘッド部のみに限定されるものではなく、適宜、必要に応じてその他のネジ連結部に適用して好適なものである。
【０００６】
【課題を解決するための手段】
請求項１の発明は、ハウジング８と、該ハウジング８内に回転自在に装着されたチャック機構１と、該チャック機構１を前記ハウジング８内に回転自在に固定するためのベアリング３及び該ベアリング３を支える中蓋とを有する歯科用ハンドピースヘッドにおいて、前記中蓋は前記ハウジング８の内周部に螺合する螺合ネジＡ，Ａを有する２つの中蓋部材５，６から成り、これら２つの中蓋部材５，６は、その一方の中蓋部材６の内周に、前記螺合ネジＡとは逆方向に螺合する螺合ネジ部Ｂが形成されるとともに、その奥部に凹部６ａが形成され、その他方の中蓋部材５の外周に、前記一方の中蓋部材６の螺合ネジ部Ｂに螺合する螺合ネジ部Ｂが形成されるとともに、その奥部に前記一方の中蓋部材６の螺合ネジ部Ｂが落とし込まれる凹部５ａが形成されており、前記２つの中蓋部材５，６は、前記螺合する螺合ネジ部Ｂ，Ｂが相互に相手方を通り越して、螺合ネジ部Ｂ，Ｂが相互に相手方の凹部５ａ，６ａに落し込まれることにより縦続結合されていることを特徴とするものである。
【０００７】
請求項２の発明は、請求項１の発明において、前記２つの中蓋部材は、これら２つの中蓋部材を反対方向に押圧するスプリングによってガタなく一体的に結合されていることを特徴とするものである。
【０００８】
【発明の実施の形態】
図１は、本発明を歯科用エアータービンハンドピースのヘッド部に適用した場合の一実施例を説明するための要部概略構成図で、図中、１はチャック機構、２は該チャック機構１に一体的に取り付けられた羽根、３はベアリング、４はＯリング、５，６はベアリング押え用中蓋部材で、これら中蓋部材５，６は本発明の主要部となるものである（従来は、これら中蓋部材５，６が一体化されていたものと考えればよい）。７は中蓋スプリング、８はハウジング、９は上蓋、１０は押し蓋、１１は押し蓋スプリングで、周知のように、押し蓋１０をスプリング１１に抗して押圧すと、チャック機構１が開き、該チャック機構１に図示しない切削バーを挿入し、挿入した段階で、押し蓋１０の押圧力を解くと、押し蓋１０がスプリング１１により押し戻されてチャック機構１が閉まり、該チャック機構１に前記切削バーを挟持する。
【０００９】
ここで、羽根２にエアーを吹き付けると、チャック機構１が回転し、前述のごとくしてチャック機構１に装着した切削バーが回転し、歯牙の切削等を行う。而して、上述のように、ハウジング内に中蓋を螺合してベアリング押えとする場合、チャック機構（回転体）１にかかる切削振動等の力がベアリングのインナーレース３ａ、ボール３ｂ、アウターレース３ｃ、Ｏリング４、中蓋へと伝わり、該中蓋とハウジングとの螺合が緩み、或いは、上蓋９が外れることがある。
【００１０】
本発明は、上述のごとき問題を解決するためになされたものであり、本発明においては、前述のように、中蓋は、２つの中蓋部材５，６とから成り、これらは、例えば、図中にＡにて示す部分で右ネジ、Ｂにて示す部分で左ネジになっており、これらの中蓋部材５，６は、左ネジ部Ｂを通り越して、図示のように、相互に、相手方の凹部５ａ，６ａ部に落し込まれている。凹部５ａ，６ａに落し込まれたネジＢ部の長さは、これら凹部の長さにより短く構成されているので、ネジＢ部が凹部５ａ，６ａに落し込まれると、中蓋部材５，６の間にガタを生じるので、スプリング７によって、これら中蓋部材５，６を相互に反発し合う方向に力を与え、ネジＢ部をつき合せ、これによって、中蓋部材５，６をガタなく一体的に組み立てている。
【００１１】
上述のごとくして、中蓋部材５，６を縦続結合した後、ネジ部Ａにてハウジング１０の内周壁に螺合し、スプリング１１を押し蓋１０に介装した状態で、上蓋９を中蓋部材６に螺合し、次いで、押し蓋１０に設けられた穴１０ａを通して治具を挿通し、中蓋部材５，６を締めつけてヘッド部の組み立てを終了する。
【００１２】
本発明は、上述のごとき構造を有するため、中蓋部材５が緩むと、中蓋部材６に当るため、該中蓋部材５が外れるようなことはない。また、中蓋部材６が緩むと、Ｂ部における逆ネジが螺合し始め、中蓋部材６を締め付ける方向に回動しようとするので、ここで、ストッパーがかかり、中蓋部材６も外れるようなことはない。更に、中蓋部材５，６はスプリング７によって反発されているので、これによっても、緩み止め効果を得ることができる。
【００１３】
【発明の効果】
以上の説明から明らかなように、本発明によると、歯科用ハンドピースのヘッド部における中蓋部材が緩むようなことはなく、従って、該中蓋部材がヘッド部から脱落するような心配もない。
【図面の簡単な説明】
【図１】  本発明による歯科用ハンドピースのヘッド部の一例を説明するための要部構成図である。
【符号の説明】
１…チャック機構、２…羽根、３…ベアリング、４…Ｏリング、５，６…中蓋部材、７…中蓋スプリング、８…ハウジング、９…上蓋、１０…押し蓋、１１…押し蓋スプリング。
【図１】
0003791994.tif 000002